(57)【要約】【課題】布絡みの発生を抑制しつつ良好な洗浄性能が得られる洗濯機を提供する。【解決手段】パルセータ２６は、表面に凹み面１０２を有する円盤状のベース部１００と、ベース部１００の中央部において凹み面１０２から突出する突起部１１０と、凹み面１０２から山状に隆起し、突起部１１０を挟んで対峙する２つの羽根部１２０と、を含む。羽根部１２０は、突起部１１０の頂部１１１よりも高い位置においてベース部１００の径方向に延びる第１尾根部１２１と、第１尾根部１２１から連続し、突起部１１０側へ下るように傾斜する第２尾根部１２２と、第１尾根部１２１および第２尾根部１２２の周方向における両側の凹み面１０２から、これら尾根部１２１、１２２に向かって、それぞれが上るように傾斜する第１傾斜面１２３および第２傾斜面１２４と、第２尾根部１２２から盛り上がるように設けられ、第２尾根部１２２に沿って延びる突条部１２５と、を含む。【選択図】図３
2019092881.tif 000002
【特許請求の範囲】
【請求項１】
洗濯物が収容される洗濯槽と、
前記洗濯槽の底部に配置されるパルセータと、
前記パルセータを駆動する駆動部と、を備え、
前記パルセータは、
表面に凹み面を有する円盤状のベース部と、
前記ベース部の中央部において前記凹み面から突出する突起部と、
前記凹み面から山状に隆起し、前記突起部を挟んで対峙する２つの羽根部と、を含み、
前記羽根部は、
前記突起部の頂部よりも高い位置において前記ベース部の径方向に延びる第１尾根部と、
前記第１尾根部から連続し、前記突起部側へ下るように傾斜する第２尾根部と、
前記第１尾根部および前記第２尾根部の周方向における両側の前記凹み面から、これら尾根部に向かって、それぞれが上るように傾斜する第１傾斜面および第２傾斜面と、
前記第２尾根部から盛り上がるように設けられ、前記第２尾根部に沿って延びる突条部と、を含む、
ことを特徴とする洗濯機。
【請求項２】
請求項１に記載の洗濯機において、
前記突起部の高さは、前記羽根部の高さ２分の１以下とされる、
ことを特徴とする洗濯機。
【請求項３】
請求項１または２に記載の洗濯機において、
前記第１傾斜面と前記第２傾斜面は、互いの傾斜勾配が異なる、
ことを特徴とする洗濯機。
【請求項４】
請求項１ないし３の何れか一項に記載の洗濯機において、
前記パルセータは、前記突起部の上方に、前記突起部に対して回転自在に設けられた回転体を、さらに含み、
前記回転体の頂部の高さ位置は、前記羽根部の最上部の高さ位置よりも低くされる、
ことを特徴とする洗濯機。
【請求項５】
請求項４に記載の洗濯機において、
前記回転体は、上方に向かうに従って径が小さくなる形状を有する、
ことを特徴とする洗濯機。
【請求項６】
請求項４または５に記載の洗濯機において、
前記回転体の表面に複数の突部が形成される、
ことを特徴とする洗濯機。
【発明の詳細な説明】
【技術分野】
【０００１】
本発明は、洗濯機に関する。
【背景技術】
【０００２】
洗濯兼脱水槽の底部に配置されたパルセータを備え、当該パルセータの表面が、扇状で中心から外周部に向かって高くなる略山形の傾斜面とこれら傾斜面の間を接続する谷部とで構成される洗濯乾燥機が、たとえば、特許文献１に記載されている。特許文献１の洗濯乾燥機では、パルセータが回転すると、衣類が傾斜面を滑って頂点付近で跳ね上げられる。これにより、洗濯物に大きな上下の動きを与えることが可能となる。
【０００３】
このように、洗濯物に上下の動きが与えられると、乾燥時には、洗濯兼脱水槽内で衣類が広がりやすくなり、乾燥性能の向上が期待される。
【先行技術文献】
【特許文献】
【０００４】
【特許文献１】特開２００５−８０９４６号公報
【発明の概要】
【発明が解決しようとする課題】
【０００５】
上記洗濯乾燥機では、洗濯時の衣類、即ち洗濯物の動きも上下の動きによる単純なものとなりやすい。このため、洗濯物が捻じれにくく布絡みは生じにくいものの、洗濯物同士の擦れなどが生じにくいため、洗浄性能が低くなりやすい。
【０００６】
一方で、従来の洗濯機のパルセータのように、中央部から放射状に延びる複数枚の羽根の回転により、洗濯物を水平面内で強く撹拌するだけでは、洗濯物同士の擦れなどは生じやすくなるものの、洗濯物が捻じれやすくなって布絡みが生じやすくなる。これにより、洗濯後の洗濯物の取出しが行いづらくなりやすい。また、洗濯乾燥機の場合には、洗濯後、乾燥を行ったときに、布絡みにより洗濯物の動きが悪くなって、乾きムラや皺が発生し、乾燥性能が低下しやすい。
【０００７】
そこで、本発明は、布絡みの発生を抑制しつつ良好な洗浄性能が得られる洗濯機を提供することを目的とする。
【課題を解決するための手段】
【０００８】
本発明の主たる態様に係る洗濯機は、洗濯物が収容される洗濯槽と、前記洗濯槽の底部に配置されるパルセータと、前記パルセータを駆動する駆動部と、を備える。ここで、前記パルセータは、表面に凹み面を有する円盤状のベース部と、前記ベース部の中央部において前記凹み面から突出する突起部と、前記凹み面から山状に隆起し、前記突起部を挟んで対峙する２つの羽根部と、を含む。さらに、前記羽根部は、前記突起部の頂部よりも高い位置において前記ベース部の径方向に延びる第１尾根部と、前記第１尾根部から連続し、前記突起部側へ下るように傾斜する第２尾根部と、前記第１尾根部および前記第２尾根部の周方向における両側の前記凹み面から、これら尾根部に向かって、それぞれが上るように傾斜する第１傾斜面および第２傾斜面と、前記第２尾根部から盛り上がるように設けられ、前記第２尾根部に沿って延びる突条部と、を含む。
【０００９】
上記の構成によれば、パルセータの外周側では、２つの羽根部の回転により、洗濯物が、第１傾斜面または第２傾斜面を上昇することで跳ね上げられ、上下に動きやすくなる。また、パルセータの内周側では、２つの羽根部の回転より、洗濯物が、第１傾斜面または第２傾斜面を上昇して突条部に衝突することでパルセータの中央側へ動かされ、水平面内で撹拌されやすくなる。よって、洗いやすすぎの際、洗濯槽内で洗濯物が複雑に動くようになるため、洗浄性能の向上が期待される。しかも、パルセータは、洗濯物を上下に動かしつつ水平面内でも動かすような構成であるので、洗濯物に強い捻じれが生じにくく、布絡みが生じにくい。
【００１０】
本態様に係る洗濯機において、前記突起部の高さは、前記羽根部の高さ２分の１以下とされ得る。
【００１１】
上記の構成によれば、２つの羽根部の間であって突起部の上方に形成される空間を広くすることができる。これにより、第１傾斜面または第２傾斜面を上昇し突条部に衝突した洗濯物が、パルセータの中央側へ移動しやすくなり、洗濯物の水平面内での動きが良くなる。
【００１２】
本態様に係る洗濯機において、前記第１傾斜面と前記第２傾斜面は、互いの傾斜勾配が異なるような構成とされ得る。
【００１３】
上記の構成によれば、パルセータの右回転時と左回転時とで洗濯物の動きが変わるので、洗濯槽内で洗濯物がより複雑に動くことになり、一層の洗浄性能の向上が期待される。
【００１４】
本態様に係る洗濯機において、前記パルセータは、前記突起部の上方に、前記突起部に対して回転自在に設けられた回転体を、さらに含むような構成とされ得る。この場合、前記回転体の頂部の高さ位置は、前記羽根部の最上部の高さ位置よりも低くされる。
【００１５】
上記の構成によれば、洗濯物が、回転体の回転によって送られるようにしてパルセータの中央側へと移動する。このため、洗濯物の水平面内でのスムーズな動きが可能となる。
【００１６】
上記の構成とされた場合、さらに、前記回転体は、上方に向かうに従って径が小さくなる形状を有するような構成とされ得る。
【００１７】
このような構成とされれば、２つの羽根部と回転体との間に隙間が生じやすく、洗濯物が移動できる空間を大きくできる。これにより、洗濯物がパルセータの中央側へ移動しやすくなる。
【００１８】
上記の構成とされた場合、さらに、前記回転体の表面に複数の突部が形成されるような構成とされ得る。
【００１９】
このような構成とされれば、洗濯物が回転体の突部に接触することで、突部による擦り洗いの効果が期待できる。
【発明の効果】
【００２０】
本発明によれば、布絡みの発生を抑制しつつ良好な洗浄性能が得られる洗濯機を提供することができる。
【００２１】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００２２】
【図１】図１は、実施の形態に係る、全自動洗濯乾燥機の側面断面図である。
【図２】図２は、実施の形態に係る、全自動洗濯乾燥機の上部の背面斜視図である。
【図３】図３（ａ）は、実施の形態に係る、上方から見たパルセータの斜視図であり、図３（ｂ）は、実施の形態に係る、下方から見たパルセータの斜視図である。
【図４】図４（ａ）および（ｂ）は、それぞれ、実施の形態に係る、パルセータの平面図および正面図であり、図４（ｃ）は、実施の形態に係る、図４（ａ）のＡ−Ａ´線で切断したパルセータの断面図である。
【図５】図５（ａ）および（ｂ）は、実施の形態に係る、パルセータが回転したときの洗濯物の動きについて説明するための図である。
【図６】図６は、変更例１に係る、上方から見たパルセータの斜視図である。
【図７】図７は、変更例１に係る、上方から見たパルセータの分解斜視図である。
【図８】図８（ａ）および（ｂ）は、それぞれ、変更例１に係る、パルセータの正面図および左側面図であり、図８（ｃ）は、変更例１に係る、図６のＢ−Ｂ´線で切断したパルセータの断面図である。
【図９】図９（ａ）および（ｂ）は、変更例１に係る、パルセータが回転したときの洗濯物の動きについて説明するための図である。
【発明を実施するための形態】
【００２３】
以下、本発明の洗濯機の一実施形態である全自動洗濯乾燥機１について、図面を参照して説明する。
【００２４】
図１は、本実施の形態に係る、全自動洗濯乾燥機１の側面断面図である。図２は、本実施の形態に係る、全自動洗濯乾燥機１の上部の背面斜視図である。
【００２５】
全自動洗濯乾燥機１は、外観を構成する筐体１０を備える。筐体１０は、上下の面が開放された方形筒状の胴体部１１と、胴体部１１の上面を覆う上面板１２と、胴体部１１を支持する脚台１３とを含む。上面板１２には、洗濯物を投入するための外側投入口１４が形成される。外側投入口１４は、開閉自在な上蓋１５により覆われる。
【００２６】
筐体１０内には、外槽２０が、防振装置を有する４本の吊棒２１により弾性的に吊り下げ支持される。外槽２０は、上面が開口するほぼ円筒状の外槽本体２２ａと、外槽本体２２ａの上面を覆うことにより、外槽２０の上面を構成する外槽カバー２２ｂとを含む。外槽２０の上面、即ち外槽カバー２２ｂには、外側投入口１４に対応する位置に、洗濯物を投入するための内側投入口２２ｃが形成される。内側投入口２２ｃは、外槽蓋２３により開閉可能に覆われる。
【００２７】
外槽２０内には、上面が開放されたほぼ円筒状の洗濯脱水槽２４が配される。洗濯脱水槽２４の内周面には、全周に亘って多数の脱水孔２４ａが形成される。洗濯脱水槽２４の上部には、バランスリング２５が設けられる。洗濯脱水槽２４の底部には、パルセータ２６が配される。なお、洗濯脱水槽２４は、本発明の洗濯槽に相当する。
【００２８】
外槽２０の外底部には、洗濯脱水槽２４およびパルセータ２６を駆動するトルクを発生させる駆動ユニット３０が配される。駆動ユニット３０は、駆動モータ３１と、伝達機構部３２とを含む。伝達機構部３２は、クラッチ機構を有し、当該クラッチ機構による切替操作により、洗い工程およびすすぎ工程では、駆動モータ３１のトルクをパルセータ２６のみに伝達してパルセータ２６のみを回転させ、脱水工程では、駆動モータ３１のトルクをパルセータ２６および洗濯脱水槽２４に伝達してパルセータ２６および洗濯脱水槽２４を一体的に回転させる。なお、駆動ユニット３０は、本発明の駆動部に相当する。
【００２９】
外槽２０の外底部には、排水口部２０ａが形成される。排水口部２０ａには、排水バルブ４０が設けられる。排水バルブ４０は、排水ホース４１に接続される。排水バルブ４０が開放されると、洗濯脱水槽２４および外槽２０に溜められた水が排水ホース４１を通じて機外へ排出される。
【００３０】
筐体１０内の後部には、外槽２０の上方に乾燥装置５０と給水装置６０とが配置される。乾燥装置５０と給水装置６０は、胴体部１１の上面後部に配置された固定板１６に取り付けられ、上面板１２により覆われる。
【００３１】
乾燥装置５０は、洗濯脱水槽２４内に収容された洗濯物を乾燥させる。乾燥装置５０はヒータと送風ファンが配置された循環風路５０ａを含み、循環風路５０ａが、吸気ダクト７１および排気ダクト７２によって外槽２０の内部と接続される。吸気ダクト７１および排気ダクト７２は、フレキシブルなダクトであり、ゴム等の弾性材料で形成され、中間部分に図示しない蛇腹部を有する。ヒータおよび送風ファンの動作により生成した温風が、循環風路５０ａから排出され、吸気ダクト７１を通じて外槽２０内に導入される。さらに、外槽２０から排出された温風が、排気ダクト７２を通じて循環風路５０ａ内に導入される。こうして、循環風路５０ａと外槽２０との間で温風が循環する。
【００３２】
乾燥装置５０は、温風の循環による循環乾燥動作と、それに続く、循環する温風の一部を外部へ排出させる排気乾燥動作とを行う。上面板１２には、多数の排気孔で構成され、温風が排出される排気口５１が設けられる。
【００３３】
給水装置６０は、外部に露出する給水口６１が、水栓から延びる図示しない外部給水ホースに接続される。給水装置６０は給水バルブおよび洗剤容器を含み、給水バルブが開放されることにより、水栓からの水道水が洗剤容器内に収容された洗剤とともに外槽２０内に供給される。給水装置６０は、風呂水ポンプを含んでいてもよい。
【００３４】
全自動洗濯乾燥機１では、各種運転コースの洗濯運転、洗濯乾燥運転または乾燥運転が行われる。洗濯運転は、洗濯のみを行う運転であり、洗い工程、中間脱水工程、すすぎ工程および最終脱水工程が順番に実行される。洗濯乾燥運転は、洗濯から乾燥までを連続的に行う運転であり、最終脱水工程に続いて乾燥工程が実行される。乾燥運転は、乾燥のみを行う運転であり、乾燥工程のみが実行される。
【００３５】
洗い工程およびすすぎ工程では、洗濯脱水槽２４内に水が溜められた状態で、パルセータ２６が右方向および左方向に回転する。パルセータ２６の回転により洗濯脱水槽２４内の洗濯物が洗われる、あるいは、すすがれる。パルセータ２６の回転による洗濯物の具体的な動きについては、後に詳述する。
【００３６】
中間脱水工程および最終脱水工程では、洗濯脱水槽２４およびパルセータ２６が一体となって高速回転する。洗濯脱水槽２４に発生する遠心力の作用により、洗濯物が脱水される。
【００３７】
乾燥工程では、最初に内気循環乾燥工程が行われ、それに続いて外気導入乾燥工程が行われる。内気循環乾燥工程では、乾燥装置５０により循環乾燥動作が行われ、循環風路５０ａと外槽２０との間で温風が循環する。乾燥風の循環により、洗濯脱水槽２４内の温度が速やかに上昇する。パルセータ２６が回転し、洗濯物が撹拌されつつ、循環する温風により乾燥される。洗濯脱水槽２４内の温度上昇が進み、洗濯物から水分が蒸発して温風に水分が多く含まれるようになると、外気導入乾燥工程に切り替えられる。外気導入乾燥工程では、乾燥装置５０により排気乾燥動作が行われ、循環風路５０ａに外気が導入されるとともに、循環風路５０ａから循環する温風の一部が排気される。洗濯物から蒸発した水分が、効果的に外槽２０内から筐体１０の外に排出され、外槽２０内が除湿されやすくなるため、洗濯物の乾燥が促進される。
【００３８】
次に、パルセータ２６の構成にいて、図３（ａ）ないし図４（ｃ）を参照し、詳細に説明する。
【００３９】
図３（ａ）は、本実施の形態に係る、上方から見たパルセータ２６の斜視図であり、図３（ｂ）は、本実施の形態に係る、下方から見たパルセータ２６の斜視図である。図４（ａ）および（ｂ）は、それぞれ、本実施の形態に係る、パルセータ２６の平面図および正面図であり、図４（ｃ）は、本実施の形態に係る、図４（ａ）のＡ−Ａ´線で切断したパルセータ２６の断面図である。
【００４０】
パルセータ２６は、ポリプロピレン等の樹脂材料により形成され、ベース部１００と、突起部１１０と、２つの羽根部１２０とを含む。突起部１１０および２つの羽根部１２０は、ベース部１００と別に形成されてベース部１００に取り付けられてもよいし、ベース部１００と一体に形成されてもよい。
【００４１】
ベース部１００は円盤状を有する。ベース部１００の表面には、平坦な外周面１０１の内側に円形の凹み面１０２が形成される。凹み面１０２は、外側の曲面１０２ａと内側の平坦面１０２ｂとで構成される。ベース部１００の裏面には、中央部に、円筒状のボス装着部１０３が形成される。ボス装着部１０３には、金属製の取付ボス１３０が装着される。取付ボス１３０には、パルセータ２６を回転させるための図示しない翼軸が取り付けられる。また、ベース部１００の裏面には、ボス装着部１０３から放射状に延びる複数の裏羽根１０４が設けられる。さらに、ベース部１００には、凹み面１０２に表裏を貫通する多数の水抜孔１０５が形成される。洗濯脱水槽２４、即ち外槽２０からの排水の際、凹み面１０２上に溜まった水が水抜孔１０５から排出される。
【００４２】
突起部１１０は、ベース部１００の中央部において凹み面１０２から上方に突出する。突起部１１０は、両側部分が羽根部１２０の張出分だけ削られた台形錐状を有する。突起部１１０の頂部１１１は、円形の平坦な面であり、中央部に挿通孔１１２を有する。挿通孔１１２を通された図示しないネジにより、取付ボス１３０と翼軸とが固定される。突起部１１０の高さＨ１は、２つの羽根部１２０の高さＨ２の２分の１以下とされる（図４（ｃ）参照）。
【００４３】
２つの羽根部１２０は、凹み面１０２から山状に隆起し、突起部１１０を挟んで対峙する。各羽根部１２０は、突起部１１０からベース部１００の外周縁１００ａまで延びる。ベース部１００には、凹み面１０２により凹空間が形成される。この凹空間が、２つの羽根部１２０とそれらの間に位置する突起部１１０とにより２つに分けられて、洗濯脱水槽２４に収容された洗濯物が保持される２つの保持空間Ｓ１が形成される（図４（ｃ）参照）。また、突起部１１０の上方には、２つの羽根部１２０の間に、羽根部１２０に対して凹む中央凹空間Ｓ２が形成される（図４（ｂ）参照）。
【００４４】
羽根部１２０は、第１尾根部１２１と、第２尾根部１２２と、第１傾斜面１２３と、第２傾斜面１２４と、突条部１２５とを含む。第１尾根部１２１は、突起部１１０の頂部１１１よりも高い位置においてベース部１００の径方向に延びる。第１尾根部１２１は、平坦な面であり、ベース部１００における中心と外周縁１００ａとの中間位置から外周縁１００ａまで水平に延びる。第２尾根部１２２は、第１尾根部１２１から連続し、突起部１１０側へ下るように傾斜する。第２尾根部１２２は、第１尾根部１２１とほぼ等しい幅の平坦な面であり、突起部１１０に繋がる。
【００４５】
第１傾斜面１２３および第２傾斜面１２４は、第１尾根部１２１および第２尾根部１２２の周方向における両側の凹み面１０２から、これら尾根部１２１、１２２に向かって、それぞれが上るように傾斜する。第１傾斜面１２３および第２傾斜面１２４は、互いに傾斜勾配が異なる。即ち、第１傾斜面１２３は、相対的に傾斜勾配が小さく、第２傾斜面１２４は、相対的に傾斜勾配が大きい。たとえば、水平方向に対する第１傾斜面１２３の傾斜勾配は、３５度程度とされ、水平方向に対する第２傾斜面１２４の傾斜勾配は、５０度程度とされる。図４（ａ）に斜線で示す、第１傾斜面１２３および第２傾斜面１２４における、第２尾根部１２２へと繋がる斜面１２３ａ、１２４ａは、第２尾根部１２２に沿う方向へも上るように傾斜する。
【００４６】
突条部１２５は、第２尾根部１２２から盛り上がるように設けられ、第２尾根部１２２に沿って延びる。突条部１２５は、細長のほぼ直方体形状を有する。突条部１２５における、第２尾根部１２２に沿う双方の側面１２５ａは、ほぼ垂直に立ち上がり、第１傾斜面１２３および第２傾斜面１２４よりも水平方向に対する角度が大きくされる。突条部１２５は、第２尾根部１２２と別に形成されて第２尾根部１２２に取り付けられてもよいし、第２尾根部１２２と一体に形成されてもよい。
【００４７】
次に、パルセータ２６の動作について説明する。
【００４８】
図５（ａ）および（ｂ）は、本実施の形態に係る、パルセータ２６が回転したときの洗濯物の動きについて説明するための図である。
【００４９】
図５（ａ）および（ｂ）に示すように、洗いやすすぎの際、水が溜められた洗濯脱水槽２４内では、衣類、即ち洗濯物が、パルセータ２６の径方向に連なった２つの羽根部１２０および突起部１１０で分けられるようして、これらの両側の保持空間Ｓ１に保持される。中央凹空間Ｓ２には、洗濯物が存在しづらい状態となる。このような状態で、パルセータ２６が回転駆動される。
【００５０】
図５（ａ）に示すように、パルセータ２６が、上方から見て右回転すると、２つの羽根部１２０の第１傾斜面１２３が周方向に進行して洗濯物に接触する。洗濯物は、第１傾斜面１２３に押されつつ第１傾斜面１２３上を滑るようにして上昇する。パルセータ２６の外周側において、第１傾斜面１２３を第１尾根部１２１に向かって上昇した洗濯物は、図５（ａ）の黒矢印に示すように、上昇の勢いにより第１尾根部１２１から上方へ放出される。一方、パルセータ２６の内周側において、第１傾斜面１２３を第２尾根部１２２に向かって上昇した洗濯物は、図５（ａ）の斜線矢印に示すように、第２尾根部１２２に設けられた突条部１２５に衝突し、第２尾根部１２２の下り傾斜に従うようにして中央凹空間Ｓ２をパルセータ２６の中央側へと移動する。
【００５１】
図５（ｂ）に示すように、パルセータ２６が、上方から見て左回転すると、２つの羽根部１２０の第２傾斜面１２４が周方向に進行して洗濯物に接触する。洗濯物は、第２傾斜面１２４に押されつつ第２傾斜面１２４上を滑るようにして上昇する。右回転時と同様、パルセータ２６の外周側では、図５（ｂ）の黒矢印に示すように、第２傾斜面１２４を上昇した洗濯物が第１尾根部１２１から上方へ放出される。また、パルセータ２６の内周側では、図５（ｂ）の斜線矢印に示すように、第２傾斜面１２４を上昇した洗濯物が、突条部１２５への衝突により、中央凹空間Ｓ２をパルセータ２６の中央側へと移動する。なお、第２傾斜面１２４は、第１傾斜面１２３よりも急嵯であるため、第１傾斜面１２３に比べて洗濯物が上昇しづらい。このため、パルセータ２６の左回転時には、右回転時よりも、洗濯物の上下の動きおよび中央側への動きが小さくなりやすい。
【００５２】
このように、本実施の形態では、パルセータ２６の外周側では、２つの羽根部１２０の回転により、洗濯物が跳ね上げられて上下に動きやすくなる。一方で、パルセータ２６の内周側では、２つの羽根部１２０の回転より、洗濯物が、パルセータ２６の中央側へ巻き込まれるように動かされ、水平面内で撹拌されやすくなる。よって、洗いやすすぎの際、洗濯脱水槽２４内で洗濯物が複雑に動くようになるため、洗濯物同士の擦れなどが生じやすくなり、洗浄性能の向上が期待される。しかも、パルセータ２６は、従来のように洗濯物を全体的に水平面内で撹拌させるのではなく、洗濯物を上下に動かしつつ水平面内でも動かすような構成であるので、洗濯物に強い捻じれが生じにくく、布絡みが生じにくい。
【００５３】
また、本実施の形態では、第１傾斜面１２３と第２傾斜面１２４との間の傾斜勾配が異なることにより、パルセータ２６の右回転時と左回転時とで洗濯物の動きが変わるので、洗濯脱水槽２４内で洗濯物がより複雑に動くことになり、一層の洗浄性能の向上が期待される。
【００５４】
さらに、本実施の形態では、突起部１１０の高さが、羽根部１２０の高さの２分の１以下とされているので、中央凹空間Ｓ２を広くすることができる。これにより、羽根部１２０の第１傾斜面１２３または第２傾斜面１２４を上昇し突条部１２５に衝突した洗濯物が、パルセータ２６の中央側へ移動しやすくなり、洗濯物の水平面内での動きが良くなる。
【００５５】
なお、本実施の形態では、乾燥時、パルセータ２６の回転により洗濯物を上方に跳ね上げることができるので、乾燥装置５０からの温風を洗濯物に良く当てることができる。よって、洗浄性能の向上のみならず、乾燥性能の向上も期待される。即ち、本実施の形態では、パルセータ２６が、洗浄性能と乾燥性能との両立が図れるような構成となる。
【００５６】
以上、本発明の実施の形態について説明したが、本発明は、上記実施の形態等によって何ら制限されるものではなく、また、本発明の実施の形態も、上記以外に種々の変更が可能である。
【００５７】
＜変更例１＞
上記実施の形態のパルセータ２６に替えて、以下に説明するパルセータ２６Ａを用いることができる。
【００５８】
図６は、変更例１に係る、上方から見たパルセータ２６Ａの斜視図である。図７は、変更例１に係る、上方から見たパルセータ２６Ａの分解斜視図である。図８（ａ）および（ｂ）は、それぞれ、変更例１に係る、パルセータ２６Ａの正面図および左側面図であり、図８（ｃ）は、変更例１に係る、図６のＢ−Ｂ´線で切断したパルセータ２６Ａの断面図である。
【００５９】
パルセータ２６Ａは、ポリプロピレン等の樹脂材料により形成され、ベース部２００と、突起部２１０と、２つの羽根部２２０と、回転体２３０とを含む。突起部２１０および２つの羽根部２２０は、ベース部２００と別に形成されてベース部２００に取り付けられてもよいし、ベース部２００と一体に形成されてもよい。
【００６０】
ベース部２００の構成は、上記実施の形態のベース部１００の構成と同様とされる。即ち、ベース部２００の表面には、外周面２０１および凹み面２０２が形成される。凹み面２０２は、外側の曲面２０２ａと内側の平坦面２０２ｂとで構成される。また、ベース部２００の裏面には、金属製の取付ボス２４０が装着されるボス装着部２０３および複数の裏羽根２０４が設けられる。さらに、ベース部１００には、凹み面２０２のほぼ全領域に、表裏を貫通する多数の水抜孔２０５が形成される。
【００６１】
突起部２１０は、ベース部２００の中央部において凹み面２０２から上方に突出する。突起部２１０は、両側部分が羽根部２２０の張出分だけ削られた台形錐状を有する。突起部２１０の頂部２１０ａには、中央部に、上方に突出する回転軸部２１１が設けられ、回転軸部２１１の周囲に、環状の円盤形状を有する摺動板２５０が取り付けられる。摺動板２５０は、摩擦係数が小さく耐摩耗性に優れた材料、たとえばステンレスにより形成される。また、突起部２１０の頂部２１０ａには、中央部に、挿通孔２１２が形成される。挿通孔２１２を通された図示しないネジにより、取付ボス２４０と翼軸とが固定される。突起部２１０の高さＨ３は、２つの羽根部２２０の高さＨ４の２分の１以下とされる（図８（ｃ）参照）。
【００６２】
２つの羽根部２２０は、凹み面２０２から山状に隆起し、突起部２１０を挟んで対峙する。各羽根部２２０は、突起部２１０からベース部２００の外周縁２００ａまで延びる。ベース部２００には、凹み面２０２により凹空間が形成され、この凹空間が、２つの羽根部２２０および突起部２１０により２つに分けられて、これらの両側に２つの保持空間Ｓ３が形成される（図８（ｃ）参照）。また、突起部２１０の上方には、２つの羽根部２２０の間に中央凹空間Ｓ４が形成される（図８（ａ）参照）。
【００６３】
羽根部２２０の構成は、上記実施の形態の羽根部１２０の構成と同様であり、第１尾根部２２１と、第２尾根部２２２と、第１傾斜面２２３と、第２傾斜面２２４と、突条部２２５とを含む。第１傾斜面２２３は、相対的に傾斜勾配が小さく、第２傾斜面２２４は、相対的に傾斜勾配が大きい。たとえば、水平方向に対する第１傾斜面２２３の傾斜勾配は、３５度程度とされ、水平方向に対する第２傾斜面２２４の傾斜勾配は、５０度程度とされる。また、第１傾斜面２２３および第２傾斜面２２４における、第２尾根部２２２へと繋がる斜面２２３ａ、２２４ａは、第２尾根部２２２に沿う方向へも上るように傾斜する。さらに、突条部２２５における、第２尾根部２２２に沿う双方の側面２２５ａは、ほぼ垂直に立ち上がり、第１傾斜面２２３および第２傾斜面２２４よりも水平方向に対する角度が大きくされる。突条部２２５は、第２尾根部２２２と別に形成されて第２尾根部２２２に取り付けられてもよいし、第２尾根部２２２と一体に形成されてもよい。
【００６４】
回転体２３０は、逆椀形状に形成され、上方に向かうに従ってその径が小さくなる。回転体２３０の中央には、回転軸部２１１が挿入される開口部２３１が設けられる。また、回転体２３０の表面には、上面が台形状の多数の突部２３２が、上下２段に亘って環状に並ぶように形成される。
【００６５】
回転体２３０は、開口部２３１に回転軸部２１１が挿入されることで、回転軸部２１１によって回転可能に支持される。これにより、回転体２３０は、突起部２１０の上方、即ち、中央凹空間Ｓ４内に配置され、突起部２１０に対して回転可能となる。回転体２３０は、キャップ２３３を含み、回転体２３０が、突起部２１０の上方に配置された後に、開口部２３１がキャップ２３３で覆われる。回転体２３０は、摺動板２５０上で回転し、摺動板２５０に対して摺動する。摺動板２５０は摩擦抵抗が小さいため、回転体２３０がスムーズに回転する。回転体２３０が、突起部２１０の上方に配置された状態において、回転体２３０の頂部の高さ位置Ｐ１は、羽根部２２０の最上部の高さ位置Ｐ２よりも低くされる（図８（ｃ）参照）。
【００６６】
次に、パルセータ２６Ａの動作について説明する。
【００６７】
図９（ａ）および（ｂ）は、変更例１に係る、パルセータ２６Ａが回転したときの洗濯物の動きについて説明するための図である。
【００６８】
図９（ａ）および（ｂ）に示すように、洗いやすすぎの際、水が溜められた洗濯脱水槽２４内では、洗濯物が、２つの羽根部２２０および突起部２１０の両側の保持空間Ｓ３に保持される。中央凹空間Ｓ４には、洗濯物が存在しづらい状態となる。このような状態で、パルセータ２６Ａが回転駆動される。
【００６９】
図９（ａ）に示すように、パルセータ２６Ａが、上方から見て右回転すると、パルセータ２６Ａの内周側では、図９（ａ）の黒矢印に示すように、第１傾斜面２２３を上昇した洗濯物が第１尾根部２２１から上方へ放出される。また、パルセータ２６Ａの内周側では、図９（ａ）の斜線矢印に示すように、第１傾斜面２２３を上昇した洗濯物が、突条部２２５への衝突により、中央凹空間Ｓ４をパルセータ２６Ａの中央側へと移動する。このとき、上記実施の形態では、中央凹空間Ｓ２において、洗濯物は、突起部１１０の頂部１１１を滑るように移動するが、本変更例では、洗濯物は、中央凹空間Ｓ４において、回転体２３０の回転によって送られるように移動する。この際、洗濯物は、回転体２３０の突部２３２に接触する。
【００７０】
図９（ｂ）に示すように、パルセータ２６Ａが、上方から見て左回転すると、パルセータ２６Ａの外周側では、図９（ｂ）の黒矢印に示すように、第２傾斜面２２４を上昇した洗濯物が第１尾根部２２１から上方へ放出される。また、パルセータ２６Ａの内周側では、図９（ｂ）の斜線矢印に示すように、第２傾斜面２２４を上昇した洗濯物が、突条部２２５への衝突により、中央凹空間Ｓ４をパルセータ２６Ａの中央側へと移動する。右回転時と同様、洗濯物は、中央凹空間Ｓ４において、回転体２３０の回転によって送られるように移動する。この際、洗濯物は、回転体２３０の突部２３２に接触する。なお、第２傾斜面２２４は、第１傾斜面２２３よりも急嵯であるため、第１傾斜面２２３に比べて洗濯物が上昇しづらい。このため、パルセータ２６Ａの左回転時には、右回転時よりも、洗濯物の上下の動きおよび中央側への動きが小さくなりやすい。
【００７１】
以上、本変更例の構成によっても、上記実施の形態と同様な作用効果が期待できる。
【００７２】
また、本変更例では、洗濯物が、中央凹空間Ｓ４において、回転体２３０の回転によって送られるように移動する。このため、洗濯物の水平面内でのスムーズな動きが可能となる。
【００７３】
さらに、本変更例では、回転体２３０が、上方に向かうに従ってその径が小さくなる形状に形成されているので、２つの羽根部２２０と回転体２３０との間に隙間が生じやすく、洗濯物が移動できる空間を大きくできる。これにより、洗濯物がパルセータ２６Ａの中央側へ移動しやすくなる。
【００７４】
さらに、本変更例では、洗濯物が回転体２３０の突部２３２に接触することで、突部２３２による擦り洗いの効果が期待できる。
【００７５】
＜その他の変更例＞
上記実施の形態では、凹み面１０２が、曲面１０２ａと平坦面１０２ｂとで構成された。しかしながら、凹み面１０２は、ベース部１００の外周部よりも窪むような面であればよく、曲面のみで構成されていてもよいし、平坦面のみで構成されていてもよい。
【００７６】
また、上記実施の形態では、２つの羽根部１２０が、ベース部１００の外周縁１００ａまで延びている。しかしながら、２つの羽根部１２０は、外周縁１００ａに届かなくてもよい。但し、２つの羽根部１２０は、ベース部１００、即ちパルセータ２６の半径の９０％の長さ位置よりも外側まで延びることが望ましい。
【００７７】
さらに、上記実施の形態では、第１傾斜面１２３と第２傾斜面１２４の傾斜勾配が異なっているが、等しくでもよい。
【００７８】
さらに、上記実施の形態では、突起部１１０がほぼ台形錐状に形成されたが、突起部１１０の形状は如何なるものでもよい。
【００７９】
さらに、上記実施の形態では、突条部１２５が細長のほぼ直方体形状に形成されたが、突条部１２５は、全体として、第２尾根部１２２から盛り上がるように設けられ第２尾根部１２２に沿って延びていればよく、他の形状でもよい。たとえば、突条部１２５は、端から端まで連続せず、途中に途切れた部分が存在していてもよい。
【００８０】
さらに、上記変更例１では、回転体２３０が逆椀形状に形成された。しかしながら、回転体２３０は、他の形状に形成されてもよく、たとえば、中空の台形錐状に形成されてもよいし、円盤状に形成されてもよい。
【００８１】
さらに、上記実施の形態では、衣類の乾燥機能が搭載された全自動洗濯乾燥機１に本発明が適用された例が示された。しかしながら、衣類の乾燥機能が搭載されていない全自動洗濯機に本発明を適用することもできる。
【００８２】
この他、本発明の実施の形態は、特許請求の範囲に示された技術的思想の範囲内において、適宜、種々の変更が可能である。
【符号の説明】
【００８３】
１  全自動洗濯乾燥機（洗濯機）
２４  洗濯脱水槽（洗濯槽）
２６  パルセータ
３０  駆動ユニット（駆動部）
１００  ベース部
１０２  凹み面
１１０  突起部
１２０  羽根部
１２１  第１尾根部
１２２  第２尾根部
１２３  第１傾斜面
１２４  第２傾斜面
１２５  突条部
２３０  回転体
２３２  突部
【図１】
2019092881.tif 000003
【図２】
2019092881.tif 000004
【図３】
2019092881.tif 000005
【図４】
2019092881.tif 000006
【図５】
2019092881.tif 000007
【図６】
2019092881.tif 000008
【図７】
2019092881.tif 000009
【図８】
2019092881.tif 000010
【図９】
2019092881.tif 000011